(57)【特許請求の範囲】
【請求項１】
ロータの表面に形成されたＶ字状の溝に嵌合する取付面を有し、ボルトにより固着するようにした回転刃体を多数備えるようにした破砕機用ロータにおいて、前記ロータの表面に形成するＶ字状の溝を、ロータの表面に形成した凹部に嵌入されるＶブロックにより構成し、かつ、該Ｖブロックが、ボルトによる締付力の作用方向を含む面内に位置するＶブロックの谷線に沿って２つ割り形状をするとともに、露出部を有し、該露出部により回転刃体の両側位置のロータの表面を覆ってなることを特徴とする破砕機用ロータ。
【請求項２】
前記Ｖブロックの素材に、ロータの素材より高硬度の素材を使用してなることを特徴とする請求項１記載の破砕機用ロータ。
【請求項３】
回転刃体及びＶブロックのロータの回転方向の背面を、ロータの表面に形成した凹部に嵌入されるリテーナにより支持してなることを特徴とする請求項１又は２記載の破砕機用ロータ。
【発明の詳細な説明】
【技術分野】
【０００１】
本発明は、廃木材、廃プラスチック、古紙等の被破砕物を破砕処理する破砕機に用いられる、ロータの表面に形成されたＶ字状の溝に嵌合する取付面を有し、ボルトにより固着するようにした回転刃体を多数備えるようにした破砕機用ロータに関するものである。
【背景技術】
【０００２】
従来、廃木材、廃プラスチック、古紙等の各種被破砕物（本明細書において、以下、単に、「被破砕物」という。）を破砕処理する破砕機として、図５〜図６に示すように、ロータ２の表面に形成されたＶ字状の溝２０に嵌合する取付面３１を有し、ボルト４により固着するようにした回転刃体３を多数備えるようにした破砕機用ロータ１と、この破砕機用ロータ１と対向するように設置された固定刃７とからなる一軸破砕機が汎用されている（例えば、特許文献１参照。）。
【先行技術文献】
【特許文献】
【０００３】
【特許文献１】特開２０１１−９２９２２号公報
【発明の概要】
【発明が解決しようとする課題】
【０００４】
ところで、上記従来の破砕機は、回転刃体３を、ロータ２の表面を切削して形成されたＶ字状の溝２０に直接取り付けるようにされているが、破砕機の使用によって、ロータ２の表面が摩耗、特に、被破砕物を破砕処理する際に、ロータ２の回転によって回転刃体３に当たって破砕された被破砕物が、回転刃体３の側面３２に沿って移動し、回転刃体３の両側位置のロータ２の表面に集中して衝突することになり、この部位が溝状に剔られるように摩耗し、さらに、この摩耗が進行してＶ字状の溝２０にまで達すると、回転刃体３が浮き上がるようになり、脱落するという問題があった。
そして、このように、ロータ２の表面が摩耗した場合、ロータ２自体を交換する必要があった。
【０００５】
本発明は、上記従来の破砕機のロータの有する問題点に鑑み、被破砕物が回転刃体の側面に沿って移動し、回転刃体の両側位置のロータの表面に集中して衝突することによる摩耗がロータ自体に及ばず、ロータの長寿命化を図ることができるようにした破砕機用ロータを提供することを目的とする。
【課題を解決するための手段】
【０００６】
上記目的を達成するため、本発明の破砕機用ロータは、ロータの表面に形成されたＶ字状の溝に嵌合する取付面を有し、ボルトにより固着するようにした回転刃体を多数備えるようにした破砕機用ロータにおいて、前記ロータの表面に形成するＶ字状の溝を、ロータの表面に形成した凹部に嵌入されるＶブロックにより構成し、かつ、該Ｖブロックが、ボルトによる締付力の作用方向を含む面内に位置するＶブロックの谷線に沿って２つ割り形状をするとともに、露出部を有し、該露出部により回転刃体の両側位置のロータの表面を覆ってなることを特徴とする。
【０００７】
この場合において、前記Ｖブロックの素材に、ロータの素材より高硬度の素材を使用することができる。
【０００８】
また、回転刃体及びＶブロックのロータの回転方向の背面を、ロータの表面に形成した凹部に嵌入されるリテーナにより支持することができる。
【発明の効果】
【０００９】
本発明の破砕機用ロータによれば、ロータの表面に形成するＶ字状の溝を、ロータの表面に形成した凹部に嵌入されるＶブロックにより構成するとともに、該Ｖブロックが、露出部を有し、該露出部により回転刃体の両側位置のロータの表面を覆ってなるようにすることにより、被破砕物が回転刃体の側面に沿って移動し、回転刃体の両側位置のロータの表面に集中して衝突することを、ロータの表面を覆うＶブロックの露出部により防止し、被破砕物の衝突による摩耗がロータ自体に及ばず、ロータの長寿命化を図ることができる。
【００１０】
そして、前記Ｖブロックを、ボルトによる締付力の作用方向を含む面内に位置するＶブロックの谷線に沿って２つ割り形状に形成することにより、ボルトによる締付力を２つ割り形状に形成した各Ｖブロック片に均等にかけることができ、回転刃体を安定して固定することができる。
【００１１】
また、前記Ｖブロックの素材に、ロータの素材より高硬度の素材を使用することにより、Ｖブロック、ひいてはロータの長寿命化を図ることができる。
【００１２】
また、回転刃体及びＶブロックのロータの回転方向の背面を、ロータの表面に形成した凹部に嵌入されるリテーナにより支持することにより、被破砕物が回転刃体に当たって破砕される際に回転刃体にかかる回転モーメントをリテーナにより支持することができ、回転刃体及びＶブロックのボルトによる締付力を補助して、回転刃体及びＶブロックを安定して固定することができる。
【図面の簡単な説明】
【００１３】
【図１】本発明の破砕機用ロータの一実施例を示し、（ａ）は要部の平面図、（ｂ）は要部の正面図、（ｃ）は要部の側面図である。
【図２】同破砕機用ロータのロータを示し、（ａ）は全体の側面図、（ｂ）は要部の平面図、（ｃ）は要部の正面図、（ｄ）は要部の側面図である。
【図３】同破砕機用ロータのＶブロックを示し、（ａ）はＶブロックの１片の平面図、（ｂ）は１片の側面図、（ｃ）は全体の正面図である。
【図４】同破砕機用ロータのリテーナを示し、（ａ）は平面図、（ｂ）は正面図、（ｃ）は側面図である。
【図５】従来の一軸破砕機を示し、（ａ）は全体の説明図、（ｂ）は破砕機用ロータ及び固定刃の説明図である。
【図６】同一軸破砕機の破砕機用ロータを示し、（ａ）は要部の平面図、（ｂ）は要部の側面図、（ｃ）は要部の正面図である。
【発明を実施するための形態】
【００１４】
以下、本発明の破砕機用ロータの実施の形態を、図面に基づいて説明する。
【００１５】
図１〜図４に、本発明の破砕機用ロータの一実施例を示す。
【００１６】
この破砕機用ロータ１は、図５に示すような、ロータ２の表面に形成されたＶ字状の溝に嵌合する取付面３１を有し、ロータ２に形成した雌ねじ部２３に螺合されるボルト４により固着するようにした回転刃体３を多数備えるようにした一軸破砕機用ロータであって、ロータ２の表面に形成するＶ字状の溝５１を、ロータ２の表面に形成した凹部２１に嵌入されるＶブロック５により構成するとともに、Ｖブロック５が、露出部５２を有し、この露出部５２により回転刃体３の両側位置のロータ２の表面を覆うようにしたものである。
【００１７】
本実施例において、Ｖブロック５のＶ字状の溝５１は、回転刃体３の取付面３１が嵌合した状態で、両者が密着するように、同じ角度（例えば、９０°）に形成するようにする。
【００１８】
また、Ｖブロック５の露出部５２は、回転刃体３の両側位置のロータ２の表面を覆うことにより、被破砕物が回転刃体３の側面３２に沿って移動し、回転刃体３の両側位置のロータ２の表面に衝突してロータ２が摩耗することを防止し、被破砕物の衝突による摩耗がロータ２自体に及ばず、ロータ２の長寿命化を図ることができるようにするためのものであり、このため、露出部５２は、少なくとも、回転刃体３の全長に亘って、かつ、幅Ｗ５（例えば、回転刃体３の幅Ｗ３の５〜５０％、好ましくは、１０〜３０％の寸法）を有して設けるようにすることが好ましい。
ここで、Ｖブロック５のＶ字状の溝５１及び露出部５２は、回転刃体３の前面に沿って移動する被破砕物が、回転刃体３の前側位置のロータ２の表面に衝突してロータ２が摩耗することを防止するため、回転刃体３の前面側に長さＬ５（例えば、回転刃体３の長さＬ３の５〜１００％、好ましくは、１０〜３０％の寸法）延出させて設けるようにすることが好ましい。
【００１９】
また、Ｖブロック５は、ロータ２の表面に形成した凹部２１に嵌入された状態で、回転刃体３を固着するボルト４によって、回転刃体３を介して、回転刃体３と一体に固着するようにするため、ボルト４が貫通する貫通孔５３を備えるようにしている。
【００２０】
また、Ｖブロック５は、Ｖブロック５の谷線５４に沿って２つ割り形状に形成するようにしている。
これにより、ボルト４による締付力を２つ割り形状に形成した各Ｖブロック片５０に均等にかけることができ、回転刃体３を安定して固定することができる。
【００２１】
また、Ｖブロック５は、その素材に、ロータ２の素材（例えば、Ｓ４５Ｃ：機械構造用炭素鋼）より高硬度の素材（例えば、ＳＣＭ４４０：クロムモリブデン鋼）を使用することができる。
これにより、Ｖブロック５、ひいてはロータ２の長寿命化を図ることができる。
【００２２】
そして、回転刃体３及びＶブロック５のロータ２の回転方向の背面には、ロータ２の表面に形成した凹部２２に嵌入されるリテーナ６により支持するようにしている。
ここで、リテーナ６は、ロータ２の表面に形成した凹部２２に嵌入した状態で、ロータ２に溶接等の固着手段で固定するようにする。
これにより、被破砕物が回転刃体３に当たって破砕される際に回転刃体３にかかる回転モーメントをリテーナ６により支持することができ、回転刃体３及びＶブロック５のボルト４による締付力を補助して、回転刃体３及びＶブロック５を安定して固定することができる。
【００２３】
また、リテーナ６は、その素材に、一般構造用圧延鋼材（例えば、ＳＳ４００）を使用することができる。
【００２４】
以上、本発明の破砕機用ロータについて、その実施例に基づいて説明したが、本発明は上記実施例に記載した構成に限定されるものではなく、その趣旨を逸脱しない範囲において適宜その構成を変更することができるものである。
【産業上の利用可能性】
【００２５】
本発明の破砕機用ロータは、被破砕物が回転刃体の側面に沿って移動し、回転刃体の両側位置のロータの表面に集中して衝突することによる摩耗がロータ自体に及ばず、ロータの長寿命化を図ることができるという特性を有していることから、一軸破砕機の用途に好適に用いることができるほか、二軸破砕機等の他の型式の破砕機の用途にも用いることができる。
【符号の説明】
【００２６】
１  破砕機用ロータ
２  ロータ（本体）
２１  凹部
２２  凹部
２３  雌ねじ部
３  回転刃体
３１  取付面
４  ボルト
５  Ｖブロック
５０  Ｖブロック片
５１  Ｖ字状の溝
５２  露出部
５３  貫通孔
５４  谷線
６  リテーナ
７  固定刃
【図１】
0005972841.tif 000002
【図２】
0005972841.tif 000003
【図３】
0005972841.tif 000004
【図４】
0005972841.tif 000005
【図５】
0005972841.tif 000006
【図６】
0005972841.tif 000007